(57)【特許請求の範囲】
【請求項１】
少なくとも一つの側面を入射面（１１）、該入射面に直交する上面を出射面（１２）、該出射面に対向する下面を反射面（１３）とする導光体（１０）であって、
前記反射面に設けられ、前記出射面の法線に対してある角度を成して前記入射面又は前記出射面から前記反射面に入射する光線を受け、前記法線との成す角度が減少した光線を出射する、前記入射面に平行な直線状または曲線状の連続した偏向パターン素子（１４）を有する偏向パターンと、
前記出射面に設けられ、前記出射面の法線に対して臨界角以下の角度を成すように前記偏向パターンから出射された光線を、前記入射面に直交する方向への拡散幅よりも前記入射面に平行な方向への拡散幅が大きくなるように拡散して透過させる異方性拡散パターン（２２）とを備え、
前記出射面と前記反射面との間の厚みが１０〜４００μｍであることを特徴とする導光体。
【請求項２】
前記偏向パターンが、前記反射面に１つまたは複数の凹または凸形状の前記偏向パターン素子を有することを特徴とする請求項１に記載の導光体。
【請求項３】
前記偏向パターン素子は、断面が三角形であり、前記出射面側に向かう法線が前記入射面と交わる斜面（１４ａ）を有し、前記斜面が前記出射面と成す傾斜角度（α１）が０．５°〜４５°であることを特徴とする請求項１または２に記載の導光体。
【請求項４】
前記異方性拡散パターンは、形状及び位置がランダムで、前記入射面に直交する方向に伸びる線状の複数のランダムスペックル（２２ａ）を有するホログラムパターンであることを特徴とする請求項１〜３のいずれか1項に記載の導光体。
【請求項５】
請求項１〜４のいずれか１項に記載の導光体と、
前記入射面に対向して配置された光源（２０）
とを備えることを特徴とする面光源装置。
【発明の詳細な説明】
【技術分野】
【０００１】
本発明は、光源から出射された光を導く導光体と、この導光体を備えて液晶表示素子や液晶表示装置などを背面から照明する面光源装置に関する。
【背景技術】
【０００２】
従来、携帯電話機等の液晶表示装置を照明するため、光源から出射された光を液晶表示装置に導く導光体及びこの導光体を備え液晶表示装置を背面から照明する面光源装置が提供されている。
【０００３】
図１は、従来の導光体の外観を示す斜視図である（例えば、特許文献１参照）。図中には、光源１２０も同時に示す。
【０００４】
導光体１１０は、例えばＰＭＭＡ又はポリカーボネートのような透明な材料からなり、略板状の平坦な形状を有している。そして、上面及び下面をそれぞれ出射面１１２及び反射面１１３とし、一つの側面を入射面１１１としている。反射面１１３には、入射面１１１から入射された光を出射面１１２に向けて反射するために複数の偏向パターン素子１１４による偏向パターンが形成されている。このように、側面にある入射面１１１から入射された光を主面にある出射面１１２から出射する導光体１１０をサイドエッジ方式と称し、携帯電話機等において広く使用されている。
【０００５】
ここで偏向パターン素子１１４は相互に間隔をあけて配置されており、その長手方向が、光源１２０からの光の進行方向に対して垂直となっている。複数の光源１２０が互いに離れて配置されている場合には、各光源１２０に対応する領域に反射面１１３を分割し、各領域ごとに対応する光源１２０からの光の進行方向に垂直となるように偏向パターン素子１１４を配置する。
【０００６】
光源１２０から出射された光は、入射面１１１から導光体１１０に入射し、反射面１１３に形成された偏向パターン素子１１４の長手方向で反射した場合は、出射面１１２の方向に偏向され、出射面１１２から出射される。また、偏向パターン素子１１４の短手方向で反射した場合は、光の進行方向が変更されるので、光源１２０の指向性を弱める拡散効果として働き、輝線の発生を抑制する。すなわちこの場合、偏向パターン素子１１４は、出射面１１２の方向に偏向する反射機能と、輝線発生を抑止する拡散機能とを兼ねている。
【０００７】
この方式では、偏向パターン素子１１４が間隔をあけて配置されているため、長手方向の反射面で偏向する効率が低く、光源１２０からの出射光の利用効率が低くなるという問題がある。また光源１２０が複数の場合、図１（ｂ）のように偏向パターン素子１１４の配置が非常に複雑となり、作製が困難となる。
【０００８】
図２は、従来の導光体及び面光源装置の使用態様を示す図である。
【０００９】
導光体１１０は、液晶表示装置１４０の直下に、出射面１１２が液晶表示装置１４０の下面１４１に対向するように配置される。導光体１１０には、光源１２０から出射された光が入射面１１１から入射される。
【００１０】
入射面１１１から導光体１１０に入射された光は、出射面１１２に対向する反射面１１３に形成された偏向パターン素子１１４によって偏向して反射されて液晶表示装置１４０の方向に立ち上げられ、出射面１１２から出射される。
【００１１】
一方、従来、レーザ光をディフューザを有する矩形の開口を介して感光フィルムを露光し、多数のスペックルをランダムに形成してなるホログラムが提供されている（特許文献２及び３参照）。このホログラムにおいて、スペックルは略楕円形状を有し、楕円の長軸と短軸は、開口の矩形の短辺と長辺とフーリエ変換の関係を有する。このホログラムにレーザ光を入射すると、レーザ光は各スペックルによって散乱され、露光の際に用いられた矩形状の開口を再現する。このようなホログラムを用いることで、入射光を異方的に拡散することができる。
【００１２】
【特許文献１】特許第３１５１８３０号公報
【特許文献２】米国特許第５，３６５，３５４号公報
【特許文献３】米国特許第５，５３４，３８６号公報
【発明の開示】
【発明が解決しようとする課題】
【００１３】
従来の導光体においては、入射面から入射した光の内で出射面から出射される光の割合が少なく、出射面から出射されない光のほとんどが、光源を配置した部分の反対側の側面から出射してしまっており、光の利用効率の面で問題があった。
【００１４】
本発明は、前述の実情に鑑みて提案されるものであって、光の利用効率の高い導光体及びこのような導光体を供える面光源装置を提供することを目的とする。
【課題を解決するための手段】
【００１５】
前述の課題を解決するために、本発明に係る導光体は、少なくとも一つの側面を入射面とし、入射面に直交する矩形の出射面と、出射面に対向する反射面とを有する導光体であって、反射面は、入射面又は出射面から、出射面の法線に対してある角度を成して入射する光線を受け、法線との成す角度が減少した光線を出射する偏向パターンを有し、偏向パターンは入射面に略平行な直線状偏向パターン素子あるいは曲線状偏光パターン素子を有するものであり、出射面は出射面の法線に対して所定の臨界角以下の角度を成して偏向パターンから入射する光線を拡散して透過させる異方性拡散パターンを有し、異方性拡散パターンは、偏向パターンから入射する光線を直線状偏向パターンの稜線に直交する方向への拡散幅よりも、該稜線に平行な方向への拡散幅が大きくなるように拡散するものである。
【００１６】
導光体の厚みは１０〜400μｍとされ、導光体の厚みが10〜200μｍの範囲が好ましく、導光体の厚みが10〜100μｍの範囲がより好ましく、導光体の厚みが10〜70μｍの範囲であることが特に好ましい。このような導光体厚みとすることで、光源を配置した部分の反射側の側面から漏れる光量を減少させることができ、光源からの出射光の利用効率が向上する。
【００１７】
好ましくは、前記直線状偏向パターン素子あるいは曲線状偏光パターン素子の導光体平面に対する傾斜角度α１は、側面の入射面から入射された光が出射面および反射面で所定回数反射された後、出射面に対する光線の入射角が臨界角以下となることにより、出射面から出射される様に、０．５〜４５度である。
【００１８】
好ましくは、前記異方性拡散パターンは、サーフェスレリーフホログラムを有する。
【００１９】
好ましくは、前記サーフェスレリーフホログラムは、同心円の半径方向に長い線状の複数のランダムスペックル領域を有する。
【００２０】
好ましくは、前期サーフェスレリーフホログラムが導光板の出射面に一体的に成形されている。
【００２１】
好ましくは、拡散光の光束の縦横比は、１：１８０〜１：３の範囲にある。
【００２２】
好ましくは、前記入射面は、光を広げるためのプリズム、ヘアラインなどの微細凹凸形状が成形されている。
【００２３】
本発明に係る面光源装置は、前記導光体を有する。
また、本発明に係る面光源装置は、前記導光体に加えて、導光体から出射した光を導光体平面の法線方向へ偏向する光学フィルムを有することもできる。
【００２４】
好ましくは、前記光学フィルムが、複数の屈折面を有するプリズムフィルムである。
【００２５】
好ましくは、前記光学フィルムが、回折格子またはホログラムが形成された光学フィルムである。
【００２６】
好ましくは、前記導光体の入射面又はその近傍に実質的に１又は２以上の発光点を有する。
【００２７】
好ましくは、実質的に１又は２以上の発光点は、それぞれ一つのＬＥＤからなる。
【発明の効果】
【００２８】
本発明により、導光体を薄くすることで導光体の光源を配置した部分の反対側の側面から漏れる光を減少させ、光の利用効率を高めることができる。またフィルム形状で連続作製が可能となるため生産効率が上昇する。その結果、低消費電力で高輝度な薄型の導光体および面光源装置を安価に提供することが出来る。
【発明を実施するための最良の形態】
【００２９】
以下、本発明に係る導光体及び面光源装置の実施形態について図面を参照して詳細に説明する。
【００３０】
本実施の形態においては、簡単のため、幾つかの異なる図面において共通の指示符合によって同一の部材を示す。また、本実施の形態の図面は、本発明の内容を説明するために用いられるものであり、各部の寸法の比率を正確に反映するものではない。
【００３１】
また、参照の便宜上、図中にｘｙｚ直交座標系を設定する。すなわち、導光体における光の進行方向に導光体の上面又は下面の２つの辺に沿ってｘ軸及びｙ軸を設定し、出射面の法線方向にｚ軸を設定する。また、ｚ軸の正負方向を上下と称する。
【００３２】
図３は、本実施形態の導光体の概略を示す。図中には、光源となる４個の発光ダイオード２０も同時に示す。なお光源としては図３に示すような複数の発光ダイオードのほか、冷陰極管などの蛍光管も利用出来るが、発光面の一辺が短い発光ダイオードが望ましい。
【００３３】
図３（ａ）は導光体１０の上面図、図３（ｂ）は導光体１０の正面図、図３（ｃ）は導光体１０の斜視図である。
【００３４】
導光体１０は、発光ダイオード２０からの光を入射させる入射面１１と、光を導光体から出射する出射面１２と、入射面１１からの入射光又は出射面１２からの反射光を反射する反射面１３とを少なくとも有する。
【００３５】
より詳細には、導光体１０は略矩形状の上面及び下面を有する略板状の形状を有する。材料としては例えばＰＭＭＡ、ポリオレフィン又はポリカーボネートのような一定の屈折率を有する透明な材料が利用出来るが、本要件を満たすものであれば何でも良い。
【００３６】
入射面１１は、反射面１３及び出射面１２と略直交している。入射面１１に対向して略等間隔で直線状に配置された複数の発光ダイオード２０から出射した光は、入射面１１から導光体１０に入射される。
【００３７】
入射面１１には導光体厚み方向に伸びるプリズムが形成されてもよく、図４に示すようにプリズム形状は断面が略三角形もしくは略半楕円形もしくはなめらかな波型形状であり、さらにその表面に微細な凹凸形状を形成してもよい。
【００３８】
反射面１３は、概略、前記導光体１０のｘｙ平面と平行な下面に形成される。
【００３９】
図５は、反射面１３に形成された、光の進行方向を変えるための反射溝１４を示す図である。反射溝１４は入射面１１に略平行な方向に形成され、入射面１１から入射面１１と対向する面に連続して複数形成される。隣り合う溝同士の間隔は一定でもよいし、変化しても良い。各々の反射溝１４の、入射面１１からの距離は関数で表記してもよい。隣り合う溝同士の間隔を調整することによって、導光体１０の反射効率等の特性を微調整することができる。
【００４０】
反射溝１４の大部分が光の反射に使用されるため、本実施形態のような反射溝１４を形成した反射面１３は、入射された光を出射面１２方向に反射する効率が高く、導光体１０の光利用効率を高める。
【００４１】
図６は、反射溝１４を含む導光体１０の詳細断面を示す。
【００４２】
図６（ａ）に示すように、反射溝１４は、入射面１１側の第１面１４ａと、導光体１０の入射面１１と対向する面側の第２面１４ｂとを有する。出射面１２に対し、第１面１４ａはある有限の角度α１（傾斜角度）を、第２面１４ｂはある有限の角度α２（傾斜角度）を有する。α１とα２は全ての反射溝１４において一定でも良いし、一部あるいは全ての反射溝１４において異なっていても良い。なお図６（ｂ）に示すように反射溝と反射溝の間に平面部を設けてもよい。この場合、反射溝（導光体に対して凹形状）ではなく、反射隆起部（導光体に対して凸形状）でもよい。
【００４３】
図７は、第１面１４ａの作用を示す。
【００４４】
図７に示すように、第１面１４ａは出射面１２と角度ψ１をなして入射面１１に入射された光を、出射面１２に対して角度ψ２を成す光へ立ち上げる。すなわち、入射面１１に出射面１２の法線に対してある角度をなして第１面１４ａへ入射した光は、前記法線とのなす角度が減少して出射される。
【００４５】
第１面１４ａで立ち上げられた光は、出射面１２の法線となす角度が臨界角より小さくなると出射面１２から出射される（図７に於いて点X１）。
【００４６】
第1面１４ａと出射面１２のなす角度α１（傾斜角度）は、０．５〜４５度である。
【００４７】
なお、第２面１４ｂは、前記反射作用は有さず、反射作用の観点からは出来るだけ大きい方が望ましいが、後述する導光体１０を成形する際の型抜きを容易にする点から９０度以下が望ましい。第２面１４ｂは、好ましくは３０〜９０度であり、さらに好ましくは３５〜８８度である。
【００４８】
また、図６（ａ）のように反射溝１４間に平面部がない場合は、隣接する反射溝１４間の間隔ｐは一定であることが出来、好ましくは１〜１００μｍであり、さらに好ましくは２〜８０μｍであり、さらに好ましくは５〜６０μｍである。なお、前記間隔ｐを一定にすると液晶表示素子のセル配置との干渉によってモアレが出現することがあるので、前記間隔を意図的にランダムに設定することもできる。図６（ｂ）のように反射溝１４間に平面部がある場合は、隣接する反射溝１４間の間隔p'は、出射光分布が均一となるよう光源からの距離に応じて場所ごと変えてもよい。あるいは、間隔p'を一定とし、反射溝または反射隆起部の幅pを光源からの距離に応じて場所ごと変えてもよい。この場合、反射溝の深さ、または反射隆起部の高さが場所ごとに変化することになる。
【００４９】
導光体１０の厚みは一定であり、１０〜400μｍとされ、10〜200μｍの範囲が好ましく、10〜100μｍの範囲がより好ましく、10〜70μｍの範囲であることが特に好ましい。
【００５０】
前記構成により、図７に示すように、発光ダイオード２０から導光体１０の入射面１１に入射した光は、出射面１２の法線となす角が臨界角に達するまでは出射面１２と反射面１３で全反射を繰り返しながら導光体１０の内部を進む。
【００５１】
出射面１２は、導光体１０の、ｘｙ平面と平行な上面に形成される。
【００５２】
出射面１２には、異方性を有する異方性拡散パターンとしてのホログラムが形成されている。このホログラムは、３次元的に形成されたホログラムと区別するためにサーフェスレリーフホログラムと称される。
【００５３】
図８及び図９は、出射面に形成されたホログラム２２の詳細を示す拡大図である。
【００５４】
図８はホログラムを２００倍に拡大した拡大図であり、図９はホログラムをさらに拡大した拡大図である。
【００５５】
図８に示すように、ホログラムは、２００倍程度に拡大して見た場合、入射面１１から入射面１１と対向する面に向かう方向に沿って伸びる線状（あるいは非常に細い楕円状）の多数のランダムスペックル又はランダムスペックル領域（例えば他の領域に比べて透過率が高いか又は低い領域）（ランダムな溝或いは凹凸）２２ａを有する。このランダムスペックル２２ａは、その形状及び位置がホログラム全体において一定で無く、ランダム性を有する。
【００５６】
後述するように、線状スペックル２２ａにより、ホログラムに入射した光は入射面１１から入射面１１と対向する面に向かう方向と比較してそれと直交する方向に強く拡散される。各方向の拡散度の拡散比は、スペックルの長軸及び短軸の寸法によって決定される。
【００５７】
また、スペックル２２ａのランダム性により、ホログラム２２への入射光は、ランダムな方向へ散乱或いは透過される。従って、ホログラムはディフューザとしての機能も有する。
【００５８】
図１０は、ホログラムの作用を説明する図である。
【００５９】
図１０（ａ）は、導光体１０の出射面１２の点Ｐ１から出射された光の強度の角度依存性を示す上面図である。図１０（ｂ）は、導光体１０の出射面１２の点Ｐ１から出射された光の強度分布を立体的に示す斜視図である。
【００６０】
導光体１０の出射面１２の点Ｐ１から出射された光は、出射面１２に形成されたホログラムによって、楕円Ｅ１に示すようにｒ方向と比較してθ方向に強く拡散される。
【００６１】
図１１は、前記出射光の強度分布を示す。図１１（ａ）はθ方向における前記出射光の強度分布を示し、図１１（ｂ）は前記ｒ方向における前記出射光の強度分布を示す。
【００６２】
上記したように、ｒ方向と比較してθ方向に強く拡散され、θ方向に於ける拡散角Φθの半値幅Φθ０は、ｒ方向に於ける拡散角Φｒの半値幅Φｒ０よりも十分に大きい（Φθ０＞＞Φｒ０）。
【００６３】
前記ｒ方向の半値幅Φｒ０は、０＜Φｒ０≦５度が好ましく、０＜Φｒ０≦１度がより好ましい。一方、θ方向の半値幅Φθ０は、５〜７０度が好ましく、５〜３０度がより好ましく、５〜１０度が更に好ましい。
【００６４】
前記半値幅Φθ０と半値幅Φｒ０の比は、半値幅Φｒ０：半値幅Φθ０＝１：１８０から１：３の範囲にあることが好ましい。
【００６５】
なお、図１０中の点Ｃ１は、参考のために、出射面１２に等方的拡散素子を設けた場合に点Ｐ１から出射された光の強度分布を示す。この場合、出射面から出射された光は、円Ｃ１で表される等方的強度分布を有する。
【００６６】
要するに、このホログラムは、出射面１２から出射される光を前記ｒ方向に比較してθ方向へ大きく拡散して透過する。
【００６７】
前記ホログラムの異方性拡散作用により、この導光体１０においては、θ方向における一様な出射光の強度分布が実現される。就中、出射面１２からの出射光における輝線の出現が防止される。
【００６８】
図１２は、前記等方的拡散素子を出射面に設けた場合に、出射面１２からの出射光に出現する輝線を示す。
【００６９】
反射面１３に於ける連続する反射溝１４によって反射された光は、視点Ｖ０に到達する多数の経路を有する。従って、視点Ｖ０から導光体１０を見たとき、発光ダイオード２０と視点Ｖ０を結ぶ線上に輝線ＢＬが現れる。
【００７０】
本実施形態の導光体１０においては、出射面１２に形成されたホログラム２２が前記ｒ方向に比較して前記θ方向に強く異方的に光を拡散する。従って視点Ｖ０から光源方向を見たとき、視点Ｖ０に向かう光線強度が抑制され、前記輝線ＢＬの出現が防止される。
【００７１】
また、上記構成によれば、ｒ方向における出射光の拡散角が抑制されることにより、ディフューザとしてのホログラムによるｒ方向の臨界角の変動が抑制され、出射角の一様性が保持される。
【００７２】
図１３は、ホログラム２２の製造装置の概略を示す模式図である。
【００７３】
この装置は、Ｚ方向に所定波長のレーザ光を出射する図示しないレーザ光源と、Ｘ方向にスリット状（例えば１ｍｍ幅）の第１開口８１ａを有する第１遮蔽板８１と、Ｙ方向に開いた三角形状の第２開口８２ａを有する第２遮蔽板８２と、−Ｙ方向に開いた三角形状の第３開口８３ａを有する第３遮蔽板８３と、例えばフォトポリマーからなる感光性フィルム８４を固定・回転するテーブル８５と、テーブル８５を光軸Ｌ０を中心に回転自在に支持する支持部材８７と、支持部材８７を固定・支持する第１スライダ８８と、第１スライダ８８をＺ軸方向に移動自在に支持する第２スライダ８９と、第２スライダをＹ軸方向に移動自在に支持する基台９０とを有する。なお、遮蔽板８２と８３との間には、適宜の集束レンズ（図示せず）が設けてある。
【００７４】
そして前記第１開口８１ａには、レーザ光Ｌを拡散して透過する磨りガラスの如きディフューザが設けてある。
【００７５】
第１及び第２開口８１ａ，８２ａの組み合わせは、前記レーザ光に対して、所定長さを有する線状開口（或いは細長矩形開口）として作用する。すなわち、この線状開口（或いは細長矩形開口）は、第１開口８１ａの幅を短辺とし、第２開口８２ａが前記開口８１ａと重なるＸ方向の距離を長辺とする。
【００７６】
なお、前記基台９０に対して第２スライダ８９をＹ軸方向へ移動することにより、或いは、第２スライダ８９に対して遮蔽板８２をＹ軸方向へ移動することにより、前記線状開口の長さを変更することができる。
【００７７】
前記構成により、前記線状開口（或いは細長矩形開口）から出射され感光性フィルム８４に入射される光線は、概略、それぞれの断面形状が横長の線状（又は細長楕円形）を有する複数のスペックルを備えた光ビームとなる。
【００７８】
第３遮蔽板８３は、前記光ビームのうち第３開口８３ａに位置する光ビームを透過する。従って、感光性フィルム８４の位置には、開口８３ａを透過した光ビームによる光スポットが形成される。
【００７９】
上記構成により、支持部材８７に対してテーブル８５を回転することにより、感光性フィルム８４の所望の円周方向位置β１（図１４）へ前記光スポットを形成することができる。また、基台９０に対して第２スライド８９をＹ軸方向へ移動することにより、概略、感光性フィルム８４の所望の半径方向位置ｒ１（図１４）へ前記光スポットを形成することができる。
【００８０】
従って、テーブル８５を所望位置へ回転すると共に、支持部材８７を所望のＹ軸方向位置へ位置決めすることにより、感光性フィルムの所望領域８４ａ（図１４）へレーザ光の光スポットを形成することが出来る。
【００８１】
ところでレーザ光Ｌは、第１開口８１ａを透過する際、前記ディフューザによって拡散される。
【００８２】
前記ディフューザによって拡散されたレーザ光は、感光性フィルム８４において多数のランダムな略楕円状（或いは線状）の輝点を発生する。この輝点がランダムスペックルになる。このランダムスペックルの短軸と長軸の平均寸法は、前記矩形の長辺と短辺の寸法にそれぞれ対応し、前記長軸と前記長辺の方向は直交する。より具体的には、前記長辺及び短辺をＬ、Ｗとすると、前記短軸及び長軸の平均寸法は、λｈ／Ｌ、λｈ／Ｗとなる。ここに、λはレーザ光の波長であり、ｈは開口８１ａと感光性フィルムとの距離である。
【００８３】
従って、図１４に示す感光性フィルムの所望領域８４ａへ、前記ディフューザで拡散された光を照射することにより、当該所望領域８４ａに前記多数のランダムスペックルを形成することができる。このランダムスペックルは、概略、前記光軸Ｌ０と交わる感光性フィルムの点を中心する円の半径方向に伸びる線状又は細長楕円形状を有する。
【００８４】
前記ランダムスペックルの輝点部分には窪みが形成され、この窪みがレリーフ型スペックル・パターンとなり、材料面に多数できると光を拡散するようになる。
【００８５】
前記ホログラムの製造に当たっては、各領域８４ａに対して露光を繰り返す多重露光を行い、感光性フィルム８４の全体を露光する。
【００８６】
露光したホログラムを現像すると、スペックルが凹凸によって形成されたマスターホログラムが得られる。このように作製したマスターホログラムの電鋳型をとり、ロール金型にすることで、ロール転写によって導光体の出射面にホログラムを一体成型することができる。
【００８７】
図１５は、導光体及び光学シートを有する面光源装置の一部を示す図である。
【００８８】
導光体１０及び光学シート５０を有する面光源装置において、導光体１０の出射面１２から出射された光は、出射面１２となす角度γ１，γ２が小さい成分の光Ｌ１，Ｌ２を含んでいる。光学シート５０は、平坦な上面５１と平坦ではない下面５２を有し、導光体１０の出射面１２となす角度が小さい光Ｌ１，Ｌ２が下面５２から入射されると、上面５１と大きな角度をなすように偏向して出射する（Ｌ１’，Ｌ２’）。このように、光学シート５０は、液晶表示装置に出射される光の正面強度を向上させる。
【００８９】
図１６は、光学シート５０を示す上面図である。
【００９０】
光学シート５０は、例えばＰＭＭＡ、ポリオレフィン又はポリカーボネートのような透明な材料からなり、上面５１に対向する下面５２に、プリズム状の構造をなす面を有し、そのプリズムの稜線５３は直線状あるいは曲線状に連続している。この光学シート５０は、導光体１０の反射面１３に形成された直線状あるいは曲線状の反射溝１４とほぼ平行か、所定角度傾けるように、導光体１０の出射面１２上に設置される。
【００９１】
光学シート５０の下面５２を導光体側とは反対方向に向けた配置でも、下面５２の形状（頂角）を適切に選択することにより、液晶表示装置に出射される光の正面強度を向上させることができる。
【００９２】
なお、上述の実施の形態は、本発明の一具体例を示すものであり、本発明はこれに限定されない。本発明の範囲を逸脱しない限り、種々の対象に適用することができる。また、本文中に示した数値は一例に過ぎず、本発明はこれに限定されない。
【産業上の利用可能性】
【００９３】
前記面光源装置は、携帯電話機やゲーム機器、電子手帳等の液晶表示装置に於いて、バックライトとして使用することが出来る。また導光体が薄くフィルム状であることから、量産性に優れ、安価に提供することができる。
【図面の簡単な説明】
【００９４】
【図１】従来の面光源装置の概略図である。
【図２】従来の面光源装置の使用態様を示す図である。
【図３】本発明の面光源装置の概略図である。
【図４】導光体１０の入光面１１の形状を示す上面図である。
【図５】反射溝１４を示す図である。
【図６】本実施形態の導光体１０の詳細断面を示す図である。
【図７】反射溝１４の第１面１４ａの作用を示す図である。
【図８】ホログラム２２の拡大図である。
【図９】ホログラム２２の拡大図である。
【図１０】ホログラム２２の作用を説明する図である。
【図１１】ホログラム２２からの出射光の強度分布を示す図である。
【図１２】出射面１２に出現する輝線を示す図である。
【図１３】ホログラム２２の製造装置の概略を示す模式図である。
【図１４】感光性フィルムの所望領域を示す図である。
【図１５】導光体１０及び光学シート５０を有する面光源装置の一部を示す図である。
【図１６】光学シート５０を示す上面図である。
【符号の説明】
【００９５】
１０  導光体
１１  入射面
１２  出射面
１３  反射面
１４  反射溝
１４ａ  第１面
１４ｂ  第２面
２０  発光ダイオード
２２  ホログラム
２２ａ  スペックル
５０  光学シート
５１  上面
５２  下面
５３  稜線
８１  第１遮蔽板
８１ａ  第１開口
８２  第２遮蔽板
８２ａ  第２開口
８３  第３遮蔽板
８３ａ  第３開口
８４  感光性フィルム
８４ａ  感光性フィルムの所望領域
８５  テーブル
８７  支持部材
８８  第１スライダ
８９  第２スライダ
９０  基台
１１０  導光体
１１１  入射面
１１２  出射面
１１３  反射面
１１４  偏向パターン素子
１２０  光源
１４０  液晶表示装置
１４１  下面
【図１】
0004411997.tif 000002
【図２】
0004411997.tif 000003
【図３】
0004411997.tif 000004
【図４】
0004411997.tif 000005
【図５】
0004411997.tif 000006
【図６】
0004411997.tif 000007
【図７】
0004411997.tif 000008
【図８】
0004411997.tif 000009
【図９】
0004411997.tif 000010
【図１０】
0004411997.tif 000011
【図１１】
0004411997.tif 000012
【図１２】
0004411997.tif 000013
【図１３】
0004411997.tif 000014
【図１４】
0004411997.tif 000015
【図１５】
0004411997.tif 000016
【図１６】
0004411997.tif 000017